(57)【要約】      （修正有）【課題】腹式呼吸をしながらの発声練習がより効果的に習得できる発生練習器を提供する。【解決手段】内部に通気路１２を有する本体部材１３を備える。本体部材１２は、口にくわえた時に変形する弾力性を有する材料からなり、この本体部材１３内の前記通気路１２に、通気路１２内での通気を抑制する抵抗付与部１４を備える。抵抗付与部１４は、通気路１２の中心を横切るように設けられた、円柱状である。抵抗付与部１４が発声練習に際して負荷を与えるので、呼吸のための筋肉の鍛錬が、発声練習と同時に行える。【選択図】図４
0003183671.tif 000002
【実用新案登録請求の範囲】
【請求項１】
内部に通気路を有する筒状の発声練習器であって、
前記通気路を形作る本体部材を備えるとともに、
該本体部材内の前記通気路に、該通気路内での通気を抑制する抵抗付与部を備えた
発声練習器。
【請求項２】
前記本体部材が、口にくわえた時に変形する弾力性を有するものである
請求項１に記載の発声練習器。
【請求項３】
前記抵抗付与部が、前記通気路を横切る態様で形成された
請求項１または請求項２に記載の発声練習器。
【請求項４】
前記抵抗付与部が円柱状である
請求項１から請求項３のうちのいずれか一項に記載の発声練習器。
【請求項５】
前記抵抗付与部が、前記本体部材の長手方向の一方側に寄った位置に形成され、
前記本体部材の他方側部分に、前記抵抗付与部近傍に歯をつけて口にくわえた場合に、舌に接触して舌を下げた状態にする開口補助部を備えた
請求項１から請求項４のうちのいずれか一項に記載の発声練習器。
【請求項６】
前記本体部材の外周面における前記抵抗付与部に対応する位置に、外周方向に突出する突出部を備えた
請求項１から請求項５のうちのいずれか一項に記載の発声練習器。
【請求項７】
前記突出部に、前記本体部材を吊り下げる紐部材を備えた
請求項６に記載の発声練習器。
【請求項８】
前記本体部材に、本体部材に対して突き刺さる環状の環状部材が取り付けられて、前記抵抗付与部が形成された
請求項１から請求項６のうちのいずれか一項に記載の発声練習器。
【請求項９】
前記環状部材に、前記本体部材を吊り下げる紐部材を備えた
請求項８に記載の発声練習器。
【考案の詳細な説明】
【技術分野】
【０００１】
この考案は、たとえば歌唱等の目的で声を出す訓練をするのに用いられる発声練習器に関し、より詳しくは、腹式呼吸をしながらの発声を習得できるようにする発声練習器に関する。
【背景技術】
【０００２】
前記のような発声練習器として、下記特許文献１に開示されたものがある。この発声練習器は、発声練習の基礎となる腹式呼吸に必要な正しい口の開け方を体得するためのもので、口にくわえられる大きさの円筒状に形成されている。長さは［使用状態を示す参考図］に明示されているように、口腔の歯よりも奥に入り込むものではなく、前歯近傍の領域にとどまる程度の長さである。
【０００３】
発声練習器の一端を口にくわえて、上下の歯で軽く噛んで動かないように固定して口を開くと、腹部からの息の通りがよくなり、腹式呼吸が簡単に体得できると記載されている。
【０００４】
特許文献１の発声練習器は、長手方向の中間位置で太さが変わっているが、これは、子どもから大人まで幅広く使用できるようにするための構造である。
【０００５】
同じように口をあけた状態にする発声練習器は、特許文献２にも開示されている。
【０００６】
特許文献２の発声練習器は、特許文献１の発声練習器とは異なって、口から出る側の端の方が広がった筒状で、喉の奥を広げた所望の状態にするというものである。
【先行技術文献】
【特許文献】
【０００７】
【特許文献１】意匠登録第１０７０４６３号公報
【特許文献２】登録実用新案第３１６２５８５号公報
【考案の概要】
【考案が解決しようとする課題】
【０００８】
特許文献１、２の発声練習器を用いると、確実に口をあけることができるので、使用者に腹部を意識させることによって、腹式呼吸をしながらの発声練習を行わせることができる。
【０００９】
しかしながら、いずれの発声練習器も円筒状で、その内部には通気を妨げるものがないので、呼吸に負荷をかけることができない。このため、息が腹から出やすくなるものの、呼吸のための筋肉を積極的に鍛えるような機能はない。
【００１０】
そこで、この発明は、腹式呼吸をしながらの発声練習がより効果的に習得できるようにすることを主な目的とする。
【課題を解決するための手段】
【００１１】
そのための手段は、内部に通気路を有する筒状の発声練習器であって、前記通気路を形作る本体部材を備えるとともに、該本体部材内の前記通気路に、該通気路内での通気を抑制する抵抗付与部を備えた発声練習器である。
【００１２】
この構成では、本体部材が口を開いた状態を保持する。この状態で、息を吸ったり吐いたりすると、通気路の抵抗付与部が、息を通りにくくして、呼吸をするための筋肉を鍛える。
【００１３】
前記本体部材は、口にくわえた時に変形する弾力性を有するものであるとよい。  
この構成では、上下の歯で本体部を噛んだ時に、本体部材が弾発力によって顎を押し返そうとするので、顎の筋肉が使用者に意識される。これによって、抵抗付与部の作用で感じる呼吸の抵抗感と共に、腹部から口腔までの発声経路の全体の意識を促し、発声訓練の効率を向上する。
【００１４】
前記抵抗付与部は、前記通気路を横切る態様で形成されるとよい。より好ましくは、通気路の中心を通る位置で横切るとよい。
【００１５】
この構成では、通気路を横切る抵抗付与部が通気を抑制する。通気路の断面積を効果的に小さくでき、構成も簡素である。
【００１６】
前記抵抗付与部は円柱状であるとよい。  
この構成では、呼吸に伴って通気路内を通る空気は、曲面を有する抵抗付与部に当たっても跳ね返されないので、呼吸時の抵抗感が滑らかなものとなる。
【００１７】
前記抵抗付与部は、前記本体部材の長手方向の一方側に寄った位置に形成され、前記本体部材の他方側部分に、前記抵抗付与部近傍に歯をつけて口にくわえた場合に、舌に接触して舌を下げた状態にする開口補助部を備えるとよい。  
この構成では、本体部材が上下の歯に挟まれて口をあけるほかに、開口補助部が下を押し下げて、口腔の奥を良好に開くようにする。このため、前歯部分を開くだけの場合よりも、口腔の形状を発生にふさわしい状態にすることが簡素な構成で行える。
【００１８】
前記本体部材の外周面における前記抵抗付与部に対応する位置に、外周方向に突出する突出部を備えるとよい。  
この構成では、口にくわえたときに歯の前面が突出部に当たるような状態にすることで、発声練習器を所定の位置に保持することができるので、常に同じ条件で練習が行える。
【００１９】
前記突出部を備える場合、その突出部には、前記本体部材を吊り下げる紐部材を備えるとよい。紐部材は、首に下げられる長さであるとよく、装飾を施したものであるとよりよい。  
この構成では、紐部材が本体部材を使用者につなぎとめるので、使用中に不測に落としてしまったりすることを防止することができる。
【００２０】
前記本体部材に、本体部材に対して突き刺さる環状の環状部材が取り付けられて、前記抵抗付与部が形成された発声練習器であってもよい。環状部材における本体部材内の部位には、別の部材を取り付ければ、所望の形態の抵抗付与部を得られる。  
この構成では、本体部材に環状部材を取り付けるだけで、簡単に製造ができる。しかも、環状部材は、本体部材の外周面で突出するので、口にくわえたときに歯の前面が突出部に当たるようにすることで、くわえる位置の規制が行え、常に同じ条件で練習が行える。
【００２１】
前記環状部材を備える場合、その環状部材には、前記本体部材を吊り下げる紐部材を備えるとよい。紐部材は、首に下げられる長さであるとよく、装飾を施したものであるとよりよい。  
この構成では、紐部材が本体部材を使用者につなぎとめるので、使用中に不測に落としてしまったりすることを防止することができる。
【考案の効果】
【００２２】
この考案によれば、抵抗付与部を備えているため、発声に必要な筋肉を鍛えることができるので、腹式呼吸をしながらの発声練習がより効果的に習得できる。
【図面の簡単な説明】
【００２３】
【図１】発声練習器の正面図。
【図２】発声練習器の要部の斜視図。
【図３】発声練習器の要部の正面図と断面図。
【図４】発声練習器の使用状態の断面図。
【図５】他の例に係る発声練習器の一部破断正面図。
【図６】他の例に係る発声練習器の一部破断正面図。
【図７】他の例に係る発声練習器の一部破断正面図。
【考案を実施するための形態】
【００２４】
この考案を実施するための一形態を、以下図面を用いて説明する。  
図１は、口にくわえて使用される発声練習器１１の正面図であり、図２はその要部の斜視図である。これらの図に示すように発声練習器１１は、内部に通気路１２を有する筒状の本体部材１３を備えている。
【００２５】
本体部材１３は、通気路１２の全体を形作るもので、全体が同一太さの円筒状である。本体部材１３の太さは、口にくわえたときに口が所望の状態に開く大きさである。具体的には、成人男性用の場合は、たとえば直径２０ミリメートル程度であるとよい。女性や子ども用の場合にはそれより小さくするとよい。
【００２６】
本体部材１３の硬さは、口にくわえたとき、より好ましくは歯で噛んだ時に変形する硬さであって、弾性変位可能で、変形のための荷重を除くと弾性復帰する弾力性をもった材料で形成されている。たとえば軟質の合成樹脂が用いられる。
【００２７】
本体部材１３内の通気路１２は、縦断面形状は円形である。前記のように本体部材１３が変形するので、変形時には、通気路１２の形状や縦断面積は変わる。
【００２８】
このような本体部材１３の通気路１２内における長手方向の一方側に寄った位置には、通気路内での通気を抑制する抵抗付与部１４が形成されている。
【００２９】
抵抗付与部１４は、図３（ａ）に示したように、通気路１２の中央を横切るように円柱状に形成されている。
【００３０】
図３（ｂ）は抵抗付与部１４の長手方向に沿った方向での断面図、図３（ｃ）は抵抗付与部１４と直交する方向での断面図である。これらの図に示すように抵抗付与部１４は、合成樹脂製の管体１５で構成されている。管体１５は弾力性を有するものであるのが好ましい。
【００３１】
抵抗付与部１４を構成する管体１５は、本体部材に対して貫通状態に突き刺さる環状部材１６に保持される。環状部材１６は完全に閉じた円形で、本体部材１３に形成された貫通穴１３ａに通して保持される。環状部材１６は、図示を省略するが、一部に係合構造が設けられ、開閉可能である。この環状部材１６における通気路１２に対応する部分に、前記管体１５が挿嵌されている。
【００３２】
環状部材１６における本体部材１３の外周面に対応する部分は、本体部材１３の外周面から外周方向に突出している。この部分は、抵抗付与部１４に対応する位置にある突出部１７である。
【００３３】
この突出部１７は、口にくわえるときに位置規制を行う機能を有する。つまり、抵抗付与部１４近傍にある突出部１７を上下方向に向けた姿勢に本体部材１３を保持して、この突出部１７に歯の前面を付けるようにして口にくわえると、常に同じ状態でくわえられることになる。
【００３４】
本体部材１３における突出部１７と反対側の部分には、突出部１７に歯を付けた状態で口にくわえたときに、本体部材１３の他方側部分に、舌に接触して舌を下げた状態にする開口補助部１８が形成されている。つまり、本体部材１３における抵抗付与部１４よりも他方側部分の長さは、前記のような開口補助部１８を形成できる長さに設定されている。この長さは、たとえば２５ミリメートル程度から３５ミリメートル程度であるとよい。
【００３５】
前記環状部材１６には、図１に示したように、本体部材１３を吊り下げる紐部材１９を備えている。紐部材１９は、使用者の首に下げられるような長さである。図示例では、紐部材１９を単なる線状に描いたが、外観美麗な装飾性を有したものとするとよい。
【００３６】
このように構成された発声練習器１１は、次のように使用され、次のような作用効果を有する。
【００３７】
使用にあたっては、図４に示したように発声練習器１１の抵抗付与部１４を立てた姿勢にして、口にくわえる。くわえるときには、環状部材１６を口の外に出して、環状部材１６の突出部１７に歯の前面を当てるようにして、上下の歯で軽く噛む。すると、本体部材１３と抵抗付与部１４は弾力的に変形し、使用者に自身の顎を意識させる。
【００３８】
抵抗付与部１４は、環状部材１６に挿嵌されて形成されているので、環状部材１６との間で弾力的に相対変位する。このため、本体部材１３のみで変形するのと異なって、良好な弾発力を得られる。
【００３９】
また、本体部材１３の口腔奥側に形成された開口補助部１８が、舌に接触して押し下げ、口腔の奥を開いた状態にする。
【００４０】
この状態で口を横開きにし、腹を意識しながら、空気をゆっくりと吸い込み、ゆっくりと吐く。このような腹式呼吸を適宜繰り返したのち、空気を吸い込んで吐くときに声を出す。
【００４１】
このようにして発声練習をすると、使用者は口を正しくあけた状態で発声練習ができるうえに、抵抗付与部１４が呼吸に際して抵抗を付与するので、使用者の呼吸のための筋肉も鍛錬できる。抵抗付与部１４は、本体部材１３の中心を通る位置を横切るように形成されているので、抵抗付与部１４を挟む両側の隙間は等しい。このため左右均等の状態で負荷を与えることができる。
【００４２】
しかも、くわえたときに弾性変位する本体部材１３と、呼吸時に負荷を与える抵抗付与部１４によって、使用者の腹から口腔の全体の意識を促す。このため、練習は効率よく行える。
【００４３】
練習中、またはそれ以外のときでも、発声練習器１１の紐部材１９を首等に掛けておくことによって、本体部材１３が床等に不測に落ちることを防止できるので、本体部材１３をくわえた状態での発声練習から本体部材１３なしでの発声練習への移行は、口を開いて本体部材１３を口から外すだけで容易に行える。本体部材１３が汚れることもない。
【００４４】
以下、その他の例について説明する。この説明において、前記と同一又は同等の部位については同一の符号を付してその詳しい説明を省略する。
【００４５】
図５は、環状部材１６の他の例を示している。この発声練習器１１の環状部材１６は、本体部材１３を貫く部分１６ａが直線状である。すなわち、正面視Ｄ字形に形成されている。
【００４６】
環状部材１６がこのような形状であると、抵抗付与部１４が直線状になる。
【００４７】
図６も環状部材１６の他の例を示している。環状部材１６は完全に閉じた環状であるほか、一部を開いた環状であってもよい。図６の環状部材１６は、本体部材１３を貫く部分１６ａが直線状で、この直線状の部分１６ａの中間に、隙間１６ｂを有する。
【００４８】
環状部材１６がこのような形状であると、他の部分に係合構造等を形成したり、溶接したりして閉じなくとも、本体部材１３に対して着脱ができる。構造も簡素である。
【００４９】
図７は、前記環状部材１６に代えて、ピン部材２０で抵抗付与部１４を形成した例を示している。つまり、ピン部材２０を本体部材１３に貫通し、このときにピン部材２０の通気路１２に対応する部分に管体１５を挿嵌する。ピン部材２０としてはリベットなどを用いることができる。ピン部材２０の両端部が前記突出部１７である。
【００５０】
この突出部１７には紐部材１９が取り付けられている。紐部材１９の取付けは、突出部１７の下に備えた板状の介装板２１を介して行うとよい。
【００５１】
前記の構成は、この考案を実施するための一形態であって、この発明は前記の構成以外の構成を採用することもできる。
【００５２】
たとえば、本体部材１３の外周面形状と内周面形状は同一形状ではなく、異なる形状であってもよい。本体部１３の内周面形状によって抵抗付与部を形成することもできる。
【００５３】
また、抵抗付与部１４は、管体１５を用いずに、環状部材１６やピン部材２０のみで構成することもできる。
【符号の説明】
【００５４】
１１…発声練習器
１２…通気路
１３…本体部材
１４…抵抗付与部
１６…環状部材
１７…突出部
１８…開口補助部
１９…紐部材
【図１】
0003183671.tif 000003
【図２】
0003183671.tif 000004
【図３】
0003183671.tif 000005
【図４】
0003183671.tif 000006
【図５】
0003183671.tif 000007
【図６】
0003183671.tif 000008
【図７】
0003183671.tif 000009